(57)【要約】【課題】使い勝手が良く、フィルムを効率良く送り出すことができるフィルム供給装置、及び、それを有する画像読取装置を提供することを課題とする。【解決手段】ネガセッタ１２は、供給するフィルムをセット可能なフィルムホルダ１６Ａ〜Ｅを有する。フィルムホルダ１６Ａ〜Ｅは、それぞれ、フィルムがセットされていることを検出する検出センサ１７Ａ〜Ｅと、フィルムがセットされていると点灯し、セットされていないと非点灯となるランプ１８Ａ〜Ｅと、を有する。これにより、ユーザーは、フィルムがセットされているか否かを一目瞭然で判断することができ、複数本のフィルムをフィルムセット部に手際良くセットすることができる。また、ネガセッタ１２は、検出センサ１７Ａ〜Ｅにより、どのフィルムホルダにフィルムがセットされているかを認識することができ、フィルムを順次送り出すことができる。【選択図】        図３
2004258306.tif 000002
【特許請求の範囲】
【請求項１】
セットされたフィルムを送り出す複数のフィルムホルダを有するフィルム供給装置であって、
フィルムがセットされていることを検出するフィルム有無検出手段と、
前記フィルム有無検出手段からの信号を受け、フィルムがセットされているか否かを表示するフィルム有無表示部と、が前記複数のフィルムホルダにそれぞれ設けられていることを特徴とするフィルム供給装置。
【請求項２】
セットされたフィルムを送り出す複数のフィルムホルダを有するフィルム供給装置であって、
フィルム送り出し位置を一定位置にすることが可能なように前記複数のフィルムホルダを保持している保持機構と、
最後に処理するフィルムがセットされているフィルムホルダが何れであるかを判断する判断手段と、
前記判断手段で判断されたフィルムホルダに最近接で、フィルムがセットされていないフィルムホルダを表示する表示手段と、が設けられていることを特徴とするフィルム供給装置。
【請求項３】
割り込み処理するフィルムをセットする割り込み口を更に有することを特徴とする請求項１又は２に記載のフィルム供給装置。
【請求項４】
割り込み処理を指示するスイッチが前記複数のフィルムホルダにそれぞれ設けられていることを特徴とする請求項１又は２に記載のフィルム供給装置。
【請求項５】
前記複数のフィルムホルダにフィルムがセットされた順序を記憶する記憶手段を有し、前記記憶手段に記憶された順序に従ってフィルムを送り出すと共に、割り込み処理させるフィルムがセットされた場合にはそのフィルムを優先して送り出すことを特徴とする請求項３又は４に記載のフィルム供給装置。
【請求項６】
請求項１〜請求項５の何れか１項に記載のフィルム供給装置を有し、前記フィルム供給装置から搬送されたフィルムの画像を読取ることを特徴とする画像読取装置。
【発明の詳細な説明】
【０００１】
【発明の属する技術分野】
本発明は、フィルムを供給するフィルム供給装置、及び、それを有する画像読取装置に関し、更に詳細には、フィルムを効率良く送り出すことができるフィルム供給装置、及び、それを有する画像読取装置に関する。
【０００２】
【従来の技術】
現像後のネガフイルムを用いて印画紙等へ焼付作業を行う場合には、キャリアでフィルムを搬送しつつ、コマ位置検出部により各コマ位置を検出し、プリント操作キーを操作して光源からの焼付光をネガフイルムを通して印画紙等へ露光するようになっている。
【０００３】
その際、かつては、ネガフイルムをネガキヤリアへ一本毎にセットして搬送しており、従って複数本のネガフイルムを順次焼付ける場合には、作業者がそのつどネガフイルムのセット及びプリント操作キーの操作を行うことが必要であった。
【０００４】
このような煩雑さを解消するために、複数本のネガフィルムをセットし、順次自動的に焼付装置に供給する例が開示されている（例えば、特許文献１〜４参照）。
【０００５】
特許文献１では、フィルム保持部が移動可能、又は固定されている装置であって、ネガフィルム取り出し手段が移動することによりネガフィルムを供給するネガフィルム供給装置が開示されている。特許文献２では、特許文献１に開示された装置のバリエーションであって、フィルム保持部が循環駆動するネガフィルム供給装置が開示されている。特許文献３では、特許文献１に開示された装置のバリエーションであって、積層状態のフィルム保持部が下方に移動するネガフィルム供給装置が開示されている。特許文献４では、特許文献１に開示された装置のバリエーションであって、フィルム保持部が回転ドラムに取り付けられたネガフィルム供給装置が開示されている。
【０００６】
【特許文献１】
特許第２６９３０４８号公報
【特許文献２】
特開平０４−２５４８４５号公報
【特許文献３】
特開平０４−２５７８５５号公報
【特許文献４】
特開平０４−２６４５４１号公報
【０００７】
【発明が解決しようとする課題】
しかし、フィルムセット部にフィルムをセットする際、もっと手際良くセットできるようにしたいという要望が出されていた。また、ネガフィルムの処理中、すなわち、ネガフィルムの画像読込み中に、別のネガフィルムを割込みさせて画像読込みを行いたいという要望も出されていた。
【０００８】
なお、ネガフィルムを透過した光を感光材料に直接に露光するアナログ式のミニラボに限らず、フィルム上の画像情報をＣＣＤ素子で一旦取り込んだ後、別途に露光するデジタル式のミニラボであっても、上記のような要望が同様に出されていた。
【０００９】
本発明は上記事実を考慮し、使い勝手が良く、フィルムを効率良く送り出すことができるフィルム供給装置、及び、それを有する画像読取装置を提供することを課題とする。
【００１０】
【課題を解決するための手段】
請求項１に記載の発明は、セットされたフィルムを送り出す複数のフィルムホルダを有するフィルム供給装置であって、フィルムがセットされていることを検出するフィルム有無検出手段と、前記フィルム有無検出手段からの信号を受け、フィルムがセットされているか否かを表示するフィルム有無表示部と、が前記複数のフィルムホルダにそれぞれ設けられていることを特徴とする。
【００１１】
これにより、ユーザーは、フィルムがセットされているか否かを一目瞭然で判断することができ、複数本のフィルムをフィルムセット部に手際良くセットすることができる。また、フィルム供給装置は、フィルム有無検出手段により、どのフィルムホルダにフィルムがセットされているかを認識することができ、フィルムを順次送り出すことができる。
【００１２】
フィルムの種類はネガフィルムに限定せず、リバーサルフィルム（ポジフィルム）、白黒フィルム、セピアフィルムなどであっても良い。
【００１３】
請求項２に記載の発明は、セットされたフィルムを送り出す複数のフィルムホルダを有するフィルム供給装置であって、フィルム送り出し位置を一定位置にすることが可能なように前記複数のフィルムホルダを保持している保持機構と、最後に処理するフィルムがセットされているフィルムホルダが何れであるかを判断する判断手段と、前記判断手段で判断されたフィルムホルダに最近接で、フィルムがセットされていないフィルムホルダを表示する表示手段と、が設けられていることを特徴とする。
【００１４】
上記の表示手段で表示されたフィルムホルダに新たなフィルムがセットされた場合、最後に処理する予定のフィルムが送り出された後、保持機構は、この新たなフィルムがセットされたフィルムホルダを移動させてフィルム送り出し位置を調整し、更に、この新たなフィルムを送り出す。従って、フィルムホルダの移動にかかる時間を短縮できる。また、ユーザーは、新たにフィルムをセットする際、表示手段で表示されたフィルムホルダにフィルムをセットすることができ、使い勝手が良い。
【００１５】
保持機構は、例えば、フィルム送り出し方向と直交する方向にフィルムホルダを移動可能にする構成であってもよく、保持機構の構成、作用は特に限定しない。
【００１６】
請求項３に記載の発明は、割り込み処理するフィルムをセットする割り込み口を更に有することを特徴とする。
【００１７】
これにより、割り込み処理させるフィルムのセットを簡易かつ短時間で行うことができるという効果を奏する。
【００１８】
請求項４に記載の発明は、割り込み処理を指示するスイッチが前記複数のフィルムホルダにそれぞれ設けられていることを特徴とする。
【００１９】
これにより、どのフィルムホルダからであっても、通常の処理の場合と同様にして割り込み処理用のフィルムをセットすることができる。
【００２０】
請求項５に記載の発明は、前記複数のフィルムホルダにフィルムがセットされた順序を記憶する記憶手段を有し、前記記憶手段に記憶された順序に従ってフィルムを送り出すと共に、割り込み処理させるフィルムがセットされた場合にはそのフィルムを優先して送り出すことを特徴とする。
【００２１】
これにより、フィルムがセットされた順にフィルムを送り出すことができ、ユーザーが意図する順にフィルムを処理し易い。また、割り込み処理が指示された場合、それに応じて処理順序を変更し、そのフィルムの送り出しを優先的に行うことができる。
【００２２】
請求項６に記載の発明は、請求項１〜請求項５の何れか１項に記載のフィルム供給装置を有し、前記フィルム供給装置から搬送されたフィルムの画像を読取ることを特徴とする。
【００２３】
これにより、効率良く送られてきたフィルムの画像を順次読み込むことができるので、画像の読取りにかかる時間を短縮することができる。
【００２４】
【発明の実施の形態】
以下、フィルムとしてネガフィルムを送り出すネガセッタ（フィルム供給装置）及びそれを有する画像読取装置を実施形態として挙げ、本発明の実施の形態について説明する。
【００２５】
［第１形態］
図１〜図３に示すように、第１形態に係る画像読取装置１０は、複数本のネガフィルムＦ（以下、単にフィルムＦという）をセット可能であるネガセッタ１２を有する。
【００２６】
図３に示すように、ネガセッタ１２は、５つのフィルムホルダ１６Ａ〜Ｅを有しており、フィルムホルダ１６Ａ〜Ｅのフィルム挿入口はネガセッタ１２の上部に設けられている。また、フィルムホルダ１６Ａ〜Ｅには、それぞれ、フィルムの有無、すなわちフィルムがセットされていることを検出する検出センサ１７Ａ〜Ｅが設けられている。
【００２７】
更に、フィルムホルダ１６Ａ〜Ｅの上部には、それぞれ、ランプ１８Ａ〜Ｅが設けられており、ランプ１８Ａ〜Ｅは、検出センサ１７Ａ〜Ｅからの検出結果により、フィルムがセットされていると点灯し、フィルムがセットされていないと非点灯となる。そして、ネガセッタ１２は、Ｕ方向にスライド移動可能であり、各フィルムホルダにセットされたフィルムを送り出すようになっている。
【００２８】
更に、ネガセッタ１２は、コントローラ２４を有する。コントローラ２４には、検出センサ１７Ａ〜Ｅからの信号を受けてフィルムがセットされた順序を記憶するメモリ２２が内蔵されている。
【００２９】
また、画像読取装置１０は、ネガセッタ１２の下流側に接続されたネガフィーダ２６を有する。ネガフィーダ２６は、複数本のフィルムを連続して送る際にフィルム同士が衝突することを防止するための上流側先後端検出センサ３０、及び、下流側先後端検出センサ３２を有する。また、ネガフィーダ２６は、上流側先後端検出センサ３０と下流側先後端検出センサ３２との間に設けられた送りローラ３４、３５、３６を有しており、送りローラ３５、３６によってフィルムに弛みを形成して搬送する。
【００３０】
更に、画像読取装置１０は、ネガフィーダ２６の下流側に接続されたキャリア４０を有する。また、キャリア４０はキャリア内センサ４６を有しており、キャリア内センサ４６を通過すると、後述のネガキャッチャ５０がフィルムをネガ受け箱５４へ送り出すようになっている。
【００３１】
更に、画像読取装置１０は、下流側先後端検出センサ３２よりも下流側の位置でフィルム画像を読み取る画像読取部４４を有する。
【００３２】
キャリア４０の下流側にはネガキャッチャ５０が接続され、ネガキャッチャ５０の下流側にはネガ受け箱５４が接続されている。ネガキャッチャ５０には送り出しトリガセンサ５６が設けられており、送り出しトリガセンサ５６によりフィルム後端の通過が検出されると、フィルムはネガ受け箱５４へ投入される。
【００３３】
以下、画像読取装置１０でフィルムを送り出して画像を読み取る作用について説明する。
【００３４】
まず、画像の読取処理を行う複数本のフィルムをネガセッタ１２にセットする。以下、図３に示したように、３本のフィルムＦ１〜Ｆ３をセットする場合について説明する。
【００３５】
ユーザーは、フィルムＦ１、フィルムＦ２、フィルムＦ３の順に、それぞれ、フィルムホルダ１６Ａ、フィルムホルダ１６Ｂ、フィルムホルダ１６Ｃにセットする。この結果、検出センサ１７Ａ〜Ｃが検出信号をこの順にコントローラ２４へ送信し、この順序がメモリ２２に記憶される。
【００３６】
この結果、コントローラ２４は、メモリ２２の記憶内容に基づいて、最初にセットされたフィルムＦ１をネガフィーダ２６の搬入口２６Ｉ（図２参照）へ搬出できるように、ネガセッタ１２をＵ方向にスライド移動させて所定位置で停止させる。
【００３７】
そして、ユーザーがフィルム送り出しスタートボタン（図示せず）を押すと、コントローラ２４は、ネガセッタ１２にフィルムＦ１の送り出しを指令し、フィルムホルダ１６ＡからフィルムＦ１が送り出される。フィルム送り速度は、例えば３３０ｍｍ／ｓである。
【００３８】
フィルムＦ１がネガセッタ１２から送り出された後、ネガセッタ１２は、メモリ２２の記憶内容に基づいて、２番目にセットされたフィルムＦ２をネガフィーダ２６の搬入口２６Ｉへ搬出できるように、Ｕ方向にスライド移動して停止する。
【００３９】
ネガセッタ１２から搬出されたフィルムＦ１は、ネガフィーダ２６へ搬送される。ネガフィーダ２６では、上流側先後端検出センサ３０によってフィルムＦ１の後端が通過したことが検出され、送りローラ３５、３６によって弛み（ループ）を付けて送られ、更に、下流側先後端検出センサ３２によってフィルムＦ１の後端が通過したことが検出される。上流側先後端検出センサ３０による検出信号はネガセッタ１２に送信され、ネガセッタ１２はこの検出信号を受信すると、次のフィルムＦ２を送り出す。
【００４０】
以下、同様にして、３本目のフィルムＦ３を搬出できるようにネガセッタ１２が移動し、フィルムＦ３を送り出す。
【００４１】
ネガフィーダ２６から搬出されたフィルムＦはキャリア４０へ搬送され、画像読取部４４は、各コマの画像をコマ番号毎に読み取る。
【００４２】
以上説明したように、本実施形態では、ネガセッタ１２は、セットされた順に複数本のフィルム（例えば３本のフィルムＦ１〜Ｆ３）を順次送り出す。これにより、ユーザーの意図する順にフィルムを順次処理することができる。また、ランプ１８Ａ〜Ｅは、フィルムがセットされていると点灯し、フィルムがセットされていないと非点灯になる。これにより、ユーザーは、どのフィルムホルダがセット可能であるかを一目瞭然で判断することができ、使い勝手が極めて良い。また、このネガセッタ１２を有する画像読取装置を用いることにより、短時間で効率良く画像を読取ることができる。
【００４３】
なお、１つのフィルムホルダ（例えばフィルムホルダ１６Ａ）を割り込み専用のホルダとしてもよい。これにより、簡易な機構で割り込み処理を容易に行うことができる。また、図４に示すように、割り込み処理可能なネガフィーダ５８を、ネガフィーダ２６に代えて設けてもよい。このネガフィーダ５８は、割り込み処理させるフィルムをセットする割り込み用ホルダ６０を有する。これにより、割り込み処理する際、ネガセッタ１２を移動させる必要がない。
【００４４】
［第２形態］
図５に示すように、第２形態に係る画像読取装置は、第２形態に比べ、割り込み処理が可能なネガセッタ６２をネガセッタ１２（図３参照）に代えて有する。第２形態では、第１形態と同様の構成要素には同じ符号を付してその説明を省略する。
【００４５】
ネガセッタ６２は、割り込み処理を指示する押しボタン式のスイッチ６４Ａ〜Ｅを有するフィルムホルダ６６Ａ〜Ｅを、第１形態のフィルムホルダ１６Ａ〜Ｅ（図３参照）に代えて備えている。スイッチ６４Ａ〜Ｅは、それぞれ、フィルムホルダ６６Ａ〜Ｅの上部に設けられている。
【００４６】
このスイッチがＯＮにされると、そのスイッチが設けられているフィルムホルダのフィルムが優先的に送り出される。図５を用いて具体的に説明すると、フィルムホルダ６６ＡからフィルムＦ１を送り出している途中で、フィルムホルダ６６Ｃの上部のスイッチ６４ＣをＯＮにすると、フィルムＦ１の送り出しを終えた後、フィルムホルダ６６ＣにセットされているフィルムＦ３がネガフィーダの搬入口Ｉに搬送され得るように、コントローラ２４からの指令により、ネガセッタ６２がスライド移動する。
【００４７】
そして、フィルムＦ３を送り出した後、フィルムＦ１の次に送り出す予定であったフィルムＦ２がネガフィーダの搬入口に搬送され得るように、ネガセッタ６２がスライド移動し、フィルムＦ２を送り出す。
【００４８】
本実施形態により、どのフィルムホルダからであっても割り込み処理を迅速に行うことができる。
【００４９】
［第３形態］
図６に示すように、第３形態では、第２形態に比べ、ネガセッタのランプの点灯作用が異なる。第３形態では、第２形態と同様の構成要素には同じ符号を付してその説明を省略する。
【００５０】
第３形態では、ネガセッタ６２のコントローラ２４は、メモリ２２の記憶内容に基づいて、最後に処理するフィルムがセットされているフィルムホルダが何れであるかを判断する。そして、フィルムがセットされていないフィルムホルダ（以下、空フィルムホルダという）のうち、最後に処理するフィルムを保持しているフィルムホルダに最近接のフィルムホルダを選定し、そのフィルムホルダのランプを点灯させる。
【００５１】
図６を用いて具体的に説明すると、フィルムホルダ６６Ａ、フィルムホルダ６６Ｂ、及び、フィルムホルダ６６Ｃに、それぞれ、フィルムＦ１、フィルムＦ２、フィルムＦ３の順にフィルムがセットされた場合、コントローラ２４は、最後に処理するフィルムＦ３がセットされているのはフィルムホルダ６６Ｃであると判断する。一方、空フィルムホルダは、フィルムホルダ６６Ｄ及びフィルムホルダ６６Ｅである。
【００５２】
フィルムホルダ６６Ｅに比べ、フィルムホルダ６６Ｄのほうがフィルムホルダ６６Ｃに近いので、コントローラ２４は、フィルムホルダ６６Ｄを選定し、ランプ６４Ｄを点灯させる。
【００５３】
これにより、ユーザーは、全てのフィルムを最短時間で処理するにはどのフィルムホルダにフィルムをセットすれば良いかを一目瞭然で判断できる。ネガセッタ６２のＵ方向への移動速度が遅い場合、このことは、処理時間を短縮させる上で特に大きな効果を奏する。
【００５４】
以上、実施形態を挙げて本発明の実施の形態を説明したが、上記実施形態は一例であり、要旨を逸脱しない範囲内で種々変更して実施できる。例えば、ネガフィルムでなく、他の種類のフィルムであっても実施することが可能である。また、本発明の権利範囲が上記実施形態に限定されないことは言うまでもない。
【００５５】
【発明の効果】
本発明は上記構成としたので、使い勝手が良く、フィルムを効率良く送り出すことができるフィルム供給装置、及び、それを有する画像読取装置を実現させることができる。
【図面の簡単な説明】
【図１】第１形態に係る画像読取装置の斜視図である。
【図２】第１形態に係る画像読取装置の構成を示す側面断面図である。
【図３】第１形態に係る画像読取装置のネガセッタを示す斜視図である。
【図４】第１形態に係る画像読取装置の変形例を示す斜視図である。
【図５】第２形態に係る画像読取装置のネガセッタを示す斜視図である。
【図６】第３形態に係る画像読取装置のネガセッタを示す斜視図である。
【符号の説明】
１０  画像読取装置
１２  ネガセッタ（フィルム供給装置）
１６Ａ〜Ｅ  フィルムホルダ
１７Ａ〜Ｅ  検出センサ（フィルム有無検出手段）
１８Ａ〜Ｅ  ランプ（フィルム有無表示部）
２２  メモリ（記憶手段）
２４  コントローラ
６０  割り込み用ホルダ
６２  ネガセッタ（フィルム供給装置）
６４Ａ〜Ｅ  スイッチ
６６Ａ〜Ｅ  フィルムホルダ
Ｆ１〜Ｆ３  フィルム
【図１】
2004258306.tif 000003
【図２】
2004258306.tif 000004
【図３】
2004258306.tif 000005
【図４】
2004258306.tif 000006
【図５】
2004258306.tif 000007
【図６】
2004258306.tif 000008